Podtech/llm-jp-corpus-v4-ja_patent huggingface dataset:
(57)【要約】【課題】  本発明は、新聞などの複数枚を、簡単にワンタッチでずれない様に留めることができ、頁を快適に読める様に片手で着脱も簡単なバネ式軽量新聞クリップを提供する。【解決手段】  バネ線材（１）をクリップ状に曲げ、線材のサイズは、長辺（４）を約７ｃｍ、短辺（５）を約５ｃｍ、長辺と短辺をバネ線材の交差箇所（２）のように交差させ、両辺の先端部（３）は、丸い形状としたバネ式軽量新聞クリップ。【選択図】図１
2011245836.tif 000002
【特許請求の範囲】
【請求項１】
バネ線材（１）をクリップ状に曲げ、線材のサイズは、長辺（４）を約７ｃｍ、短辺（５）を約５ｃｍ、長辺と短辺をバネ線材の交差箇所（２）のように交差させ、両辺の先端部（３）は、丸い形状としたバネ式軽量新聞クリップ。
【発明の詳細な説明】
【技術分野】
【０００１】  本発明は、新聞などの複数枚を、簡単にワンタッチでずれない様に留めることができ、頁を快適に読める様に片手で着脱も簡単なバネ式軽量新聞クリップに関するものである。
【背景技術】
【０００２】  従来は、新聞を綴じてしまうかバインダーなどで半固定する形態がほとんどだった。
【発明の概要】
【発明が解決しようとする課題】
【０００３】  従来型は、重たさ・安価ではない・簡単には装着出来ないなどの欠点があった。
【課題を解決するための手段】
【０００４】  バネ線材（１）をクリップ状に曲げ、線材のサイズは、長辺（４）を約７ｃｍ、短辺（５）を約５ｃｍ、長辺と短辺をバネ線材の交差箇所（２）のように交差させ、両辺の先端部（３）は、丸い形状にする。
以上のように構成されたバネ式軽量新聞クリップ。
【発明の効果】
【０００５】  バネ線材を簡単な形状に加工し、片手で簡単に着脱ができる。
軽量で汎用的なバネ線材を簡単な形状加工することにより、非常に安価であり、使用時も片手で簡単に着脱可能である。
【図面の簡単な説明】
【０００７】
【図１】  本発明の平面図である。
【図２】  本発明の使用状態を拡大して示した説明図である。
【発明を実施されるための形態】
【０００７】  本発明の実施の形態について説明する。
バネ線材（１）をクリップ状に曲げ、線材のサイズは、長辺（４）を約７ｃｍ、短辺（５）を約５ｃｍ、長辺と短辺をバネ線材の交差箇所（２）のように交差させ、両辺の先端部（３）は、丸い形状にする。
バネ線材は、全長約１２ｃｍ（１）を、約５ｃｍ位置より曲げ加工をし、曲げる際に片側の線材と（２）の位置で交差させ内向きに軽く捻りを加える。
両端の先端部（３）は、丸く加工する。
たとえば、曲げ加工、もしくは、球体加工することにより、使用感の向上と安全性も確保できる。
使用時は、バネ線材の長辺（４）を新聞に差し入れ、曲げ部分に当たるまで差し込み、最後にバネ線材の短辺（５）を新聞右面、反対側へ軽くねじり新聞を固定する。
【符号の説明】
【０００８】１  バネ線材
２  バネ線材の交差箇所
３  バネ線材先端部
４  バネ線材の長辺
５  バネ線材の短辺
【図１】
2011245836.tif 000003
【図２】
2011245836.tif 000004
(57)【要約】【課題】屋外での食事のときに、テーブルに置いた紙コップが風で飛ばされないように、手で持ったり、一気に飲み干して次々と新しい紙コップを使うなど、不便であったり不経済であったりした。  本発明は風で紙コップが飛ばされたり、子供が倒したりしないためのテーブル用カップホルダーを提供する。【解決手段】ホルダー部のカップを入れる部分にネットを取り付け、アーム部の下面に磁石を取り付ける。  ホルダー部とアーム部の境にひもを付け、その先に別の固定部材を付ける。【選択図】図１
2011245194.tif 000002
【特許請求の範囲】
【請求項１】
容器を脱着可能に保持する保持部と、前記保持部から一方向に突出して設けられる板状のアーム部と、前記アーム部の下面に設けられた磁石を備えるホルダー本体と、前記磁石に密着可能な固定部材とを備えることを特徴とする容器ホルダー。
【請求項２】
前記固定部材は、ひもを介して、前記容器保持部に連結されていることを特徴とする、請求項１に記載の容器ホルダー。
【請求項３】
前記容器保持部は容器を挿入可能なリング状に構成されていることを特徴とする、請求項１又は２に記載の容器ホルダー。
【請求項４】
さらに上部が開口し、前記リング状の容器保持部に上端が連結されたネット部材を備えることを特徴とする、請求項３に記載の容器ホルダー。
【発明の詳細な説明】
【技術分野】
【０００１】
本発明は、アウトドアなどのテーブルに取り付ける、テーブル用カップホルダーに関するものである。
【背景技術】
【０００２】
キャンプやバーベキューなどのアウトドアで、テーブルの上に置いた紙コップなどが風で飛ばされることがあった。
【発明の概要】
【発明が解決しようとする課題】
【０００３】
屋外での食事の時、テーブルに置いた紙コップが風で飛ばされないように、手で持ったり、一気に飲み干して次にまた新しい紙コップを使うなど、不便であったり不経済であったりした。また、小さい子供が倒したり、いくつもコップを置いたためテーブルが狭くなったりした。
本発明は、以上の問題点を解決するためになされたものである。
【課題を解決するための手段】
【０００４】
本発明は、容器を脱着可能に保持する保持と、前記保持部から一方向に突出して設けられる板状のアーム部と、前記アーム部の下面に設けられた磁石を備えるホルダー本体と、
前記磁石に密着可能な固定部材とを備えることを特徴とする容器ホルダーを提供する。
【発明の効果】
【０００５】
屋外のテーブルに置いた紙コップや缶などが風で飛ばされたり、子供が倒したりすることなく、両手が使え、またテーブルも広く使用できる。
レジャー用テーブルは軽量にするために天面が薄く構成されているため、磁石でも固定できる。
【図面の簡単な説明】
【０００６】
【図１】図１は本発明の斜視図。
【図２】図２は本発明の使用状態を示す側面図。
【発明を実施するための形態】
【０００７】
以下、本発明の実施の形態を説明する。
ホルダー部（２）にネット（５）を取り付ける。
アーム部（３）の下面に磁石（４）を取り付ける。
ホルダー部とアーム部の境にひも（６）を付け、その先に固定部材（７）を付ける。
本発明は以上のような構造である。
本発明を使用するときは、テーブル（８）にアーム部（３）を置き、アーム部（３）下面の磁石（４）と、テーブル（８）が密着するようにする。
磁石（４）を密着させた部分のテーブル（８）の下面にひも（６）に付けた固定部材（７）を密着させ固定させる。
ホルダー部（２）のネット（５）に紙コップ等を入れる。
【符号の説明】
【０００８】
１    本体
２    ホルダー部
３    アーム部
４    磁石
５    ネット
６    ひも
７    固定部材
８    テーブル
【図１】
2011245194.tif 000003
【図２】
2011245194.tif 000004
(57)【要約】      （修正有）【課題】食材を焦がさず、内部まで均等に加熱する適正な加熱温度を維持して、加熱料理において安定させる火加減で、最上の味を引き出せ、コーティングがないので、フッ素樹脂の危険性から開放され、セラミックス製の遠赤外線効果で、魚や肉を焼くと、臭いを大部分防ぐことができ、食材をふっくら美味しく焼き上げるようになるし健康にも良い調理器具を得る。【解決手段】内部に扁平な空間部３を有する、肉、野菜等を加熱調理する間接加熱構造のセラミックス製の調理器具であって、前記空間部３に、外部に通じる通気穴４を設けたことを特徴とする。【選択図】図２
2011245013.tif 000002
【特許請求の範囲】
【請求項１】
内部に扁平な空間部を有する、肉、野菜等を加熱調理する間接加熱構造のセラミックス製の調理器具であって、前記空間部に、外部に通じる通気穴を設けたことを特徴とするセラミックス製間接加熱式調理器具。
【発明の詳細な説明】
【技術分野】
【０００１】
本発明は肉や魚、野菜等を加熱調理する間接加熱構造のセラミックス製の調理器具に関するものである。
【背景技術】
【０００２】
従来の調理器具は、図３に示すように、上部板１１と下部板１２が分離できる構造になっている
（特許文献１参照）。しかし、セラミックス製で作る場合、上部板１１と下部板１２がこわれ易く、取り扱いにくい、という問題がある。又、従来の鉄やアルミ製の場合は表面にフッ素樹脂コーティングがされ、上部面の加熱温度が250℃以上になると微粒なガスが発生して健康を損なうとの指摘がなされている。
【先行技術文献】
【特許文献】
【０００３】
【特許文献１】特許第4340781号
【発明の開示】
【発明が解決しようとする課題】
【０００４】
本発明は上記のような問題点を解決する事を課題とする。
【課題を解決するための手段】
【０００５】
本発明が上記課題を解決するために提供する調理器具は内部に扁平な空間部を有する、肉、野菜等を加熱調理する間接加熱構造のセラミックス製の調理器具であって、前記空間部に、外部に通じる通気穴を設けたことを特徴とするものである。
【発明の効果】
【０００６】
従来の上部板１１と下部板１２をセラミックス製にした場合は、こわれ易く、取り扱いにくい、という問題があるので、 一体化にしたら、こわれ難く、取扱い易くなった。又、セラミッス製は鉄やアルミ製のようなコーティングが無くなり、フッ素樹脂の危険性から開放される。セラミックス製の遠赤外線効果で魚や肉を焼くと、臭いを大部分防ぐことができるだけでなく、食材をふっくら、美味しく焼き上げることができる。
【発明を実施するための最良の形態】
【０００７】
上記の目的を成す為に本発明の調理器具は、上部面と、下部面、上部面と下部面の間の空間、側壁とを備えた調理器具であって、固形燃料を使う場合は固形燃料を燃やすコンロを使用する。前記下部面を加熱した際に前記空間にある空気が対流熱を生じるようのを特徴とする調理器具で、前記空間には空気の循環のために少なくとも一個の熱調節用通気穴を設けることを特徴とする調理器具。
【実施例】
【０００８】
以下に、本発明の望ましい実施例を添付された図面を参照して詳しく説明する。
図1及び図２は本発明の第1実施例による調理器具を図示した図面である。
図示しているように、本発明の調理器具は遠赤外線効果があるセラミックスで形成され、その側壁１の高さが高く、その上部面には放射形状の模様２が施してある。
前記上部面６と下部面５の間には対流熱を生じる空間部３を設け、その前記空間部３は空気穴４が設けて、前記空気穴４は熱源によって加熱された空気が対流しながら空気が出入りする。
この様な構成によって、熱源から発生された熱の一部は前記下部面５を通じて前記上部面６に直接的に伝わる事と前記空間部３で加熱された空気が対流現象を起こしながら前記上部面６に間接的に伝わるようになることで直接及び間接加熱が同時に行われる。 
こうして本発明は、食材を焦がさず、内部まで均等に加熱する適正な加熱温度を維持して、加熱調理において安定させる火加減で最上の味を引き出せるという特長がある。
又、鉄やアルミ製のようなコーティングがないので、フッ素樹脂の危険性から開放される。セラミックス製の遠赤外線効果で、魚や肉を焼くと、臭いを大部分防ぐことができ、食材をふっくら、美味しく焼き上げるようになるし健康にも良い。
従来の旅館などで一人前用として焼き物の用調理プレートが用いられ、各自で調理をしながら食事をするが、従来品は談話中に肉など焦がしてしまうことがあるが、セラミックス製のプレートでの空間部３を設けることで、焦がさず、丁寧に焼けるので、焼き物料理を安心して楽しめるようになる。
【図面の簡単な説明】
【０００９】
【図１】本発明の第１実施例による調理器具を図示した平面図。
【図２】本発明の第１実施例による調理器具を図示した断面図。
【図３】従来二枚重ねの調理器具を図示した平面図。
【符号の説明】
【００１０】
1 : 側壁
2 : 放射形状模様
3 : 空間部
4 : 空気穴
5 : 下部面
6 : 上部面
【図１】
2011245013.tif 000003
【図２】
2011245013.tif 000004
【図３】
2011245013.tif 000005
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
内部に空間部を有する、肉、野菜等を加熱調理する間接加熱構造のセラミックス製の調理器具であって、前記空間部に、外部に通じる通気穴を設けたことを特徴とするセラミックス製間接加熱式調理器具。
(57)【要約】【課題】スライス済みの食パンを、水平を保ちながら2等分する器具を提供する。【解決手段】食パンが収まる方形の皿（1）2つを、観音開きにできるように繋ぎ合わせて容器を作成し、接合部（5）を除く合わせ面に、刃物を挿入可能な隙間（6）を設ける。コの字型の部品（4）を用いて、容器の接合面（5）側から厚みを固定し、隙間（6）の間隔を一定に保つ。その隙間（6）から刃物を挿入して切り進めることにより、容器に収納した食パンを水平を保ちながら2等分することが可能となる。【選択図】図１
2011245056.tif 000002
【特許請求の範囲】
【請求項１】
食パンを収納する容器に設けた、刃物を挿入する隙間の間隔を、コの字型の部品を用いて一定に保つようにする。
【発明の詳細な説明】
【技術分野】
【０００１】
本発明は、市販のスライス済みの食パンを、水平を保ちながら2等分することを目的とし、調理に不慣れな者でも容易にそれを行えるようにするものである。
【背景技術】
【０００２】
従来は、家庭でサンドイッチを作る場合、専用の厚さの食パンを購入するか、又は、自ら食パンを任意の厚さにスライスしなければならなかった。
【先行技術文献】
【特許文献】
【０００３】
【特許文献１】特開平11-188692
【発明の概要】
【発明が解決しようとする課題】
【０００４】
スライス済みの食パンを、2枚にスライスしようとする場合、水平を保ちながら均等に分割することは難しく、工夫や技術が必要だった。又、上記特許文献1においては、構造が複雑で、かつ装置そのものが大きく、一般家庭向けとしてはコスト面、及び収納場所の確保に問題があった。
【課題を解決するための手段】
【０００５】
食パンと同じ大きさの容器に、スライス用の隙間を設け、その隙間の間隔を、コの字型の部品と、食パン自体の復元力とで一定に保つようにした。又、部品の数を3点に抑えたことにより、製造コストの削減と器具本体のサイズ縮小を同時に実現した。
【発明の効果】
【０００６】
本発明品は、安価に製造、供給することが可能であるので、製造者や購入者の経済的負担を軽減できる。又、食事を簡単に済ませがちな単身者の、パン以外の食物の摂取を促進する。さらに、8枚切り食パンを用いる事により、16枚切りに相当する薄さの食パンを用いたサンドイッチの作成が可能となるので、摂取カロリーを抑える必要のある人の、食事制限の手助けとなり得る。
【図面の簡単な説明】
【０００７】
【図１】本発明の斜視図である。
【図２】本発明の断面図である。
【発明を実施するための形態】
【０００８】
以下、本発明の実施の形態について説明する。
（イ）.スライス済みの食パンが収まる方形の皿（1）を2つと、両端に突起のついたコの字型の部品（2）を用意する。2つの皿（1）の外面にはそれぞれ、コの字型の部品（2）を固定するための段差（3）と溝（4）を設ける。
（ロ）.2つの皿（1）を、観音開きにできるように繋ぎ合わせる。その時、接合面（5）の内側の厚みを、一般的な8枚切り食パンの厚みと同じにする。その他の3面には、家庭用包丁やパン切りナイフが挿入可能な隙間（6）を設ける。
（ハ）.皿（1）を繋ぎ合わせた容器の間に食パンを収納し、その容器の接合面（5）側から、コの字型の部品（2）で容器の厚みを固定する。反対側の隙間（6）から包丁やパン切りナイフを挿入して、容器内のパンを切り進める。
【符号の説明】
【０００９】
1 皿
2 コの字型の部品
3 段差
4 溝
5 接合面
6 隙間
【図１】
2011245056.tif 000003
【図２】
2011245056.tif 000004
(57)【要約】【課題】化粧用圧縮粉末容器の形状を、化粧筆等で圧縮粉末を満遍なくなぞりやすいよう底部の内面を連続した凹曲面で構成した圧縮粉末容器及び化粧用コンパクトを提供する。【解決手段】化粧用の圧縮粉末２を収納する容器３において、容器３の底部４の内面を連続した凹曲面で構成された形状にしたことにより、底が丸くなっているので、圧縮粉末を最後まで残す事なく使用出来る。また、化粧筆等で満遍なく自然に圧縮粉末２をなぞ取る事が出来るため、化粧筆穂先をむやみに傷めるということが無くなる。【選択図】図１
2011245002.tif 000002
【特許請求の範囲】
【請求項１】
底部の内面を連続した凹曲面で構成した事を特徴とする圧縮粉末容器。
【請求項２】
底部の内面を連続した凹曲面で構成した圧縮粉末容器を収納した化粧用コンパクトケース。
【発明の詳細な説明】
【技術分野】
【０００１】
本発明は、ファンデーション等の化粧用圧縮粉末を収容する容器及びそれを用いた化粧用コンパクトに関する。
【背景技術】
【０００２】
ファンデーションやアイシャドーなど圧縮粉末が充填されている容器は、浅い四角柱や円柱等の形状をしていて四角や円形等、平面状の底辺があり、それぞれの底の周縁には角部があるのが一般的である。
【発明の開示】
【発明が解決しようとする課題】
【０００３】
お化粧をするときに使用するファンデーションやアイシャドウ等は、収納容器に入れられた圧縮粉末を化粧筆等でなぞり取り化粧をする。収納容器いっぱいに充填された圧縮粉末が十分に有る内はなんら問題なく化粧筆等に収納体をムラ無くなぞり取り顔等に付着させお化粧することが出来るが、使い進めると底面中央部分から円形状に圧縮粉末が無くなり、収納容器底の周縁の隅にのみ圧縮粉末が残り、満遍なく化粧筆等に圧縮粉末がなぞり取る事が出来ないという問題点がある。
【０００４】
また、底の周縁の隅に圧縮粉末が残る事により、それらを使用するためには、ファンデーション等の圧縮粉末が残っている底の周縁の隅に化粧用筆を強く押しつけて撫でる事で化粧筆の毛先を傷めることになり、さらに、傷めた毛先でお化粧をすると、化粧ムラの原因になるという事に注目すべきである。
【０００５】
さらに、底の周縁の隅に残った圧縮粉末を最後まで使い切れずに、圧縮粉末を無駄に処分してしまうという事にも注目すべきである。
【０００６】
本発明は上記の問題点を解決し、ファンデーション等の圧縮粉末を、化粧筆等で無理せず自然になぞり取る事が出来る圧縮粉末容器を提供しようとするものである。
【課題を解決するための手段】
【０００７】
以上の課題を解決するために、本発明は、化粧用コンパクトケースに備えられる圧縮粉末容器の底部の内面を連続した凹曲面になるように構成した。
【発明の効果】
【０００８】
本発明によれば、圧縮粉末容器に入れた圧縮粉末は、底部が丸くなっているので、化粧筆で自然に満遍なく圧縮粉末を残さずなぞり取る事が出来るという効果がある。
【０００９】
また、化粧筆等を用いてなぞり取る時、一部に集中して圧縮粉末が残ることがないので、圧縮粉末が少なくなった場合は、圧縮粉末が無くなりむき出しになった底を何度も化粧筆でなぞって、化粧筆の毛先を傷めるという不安を取り除く事が出来る。
【発明を実施するための形態】
【００１０】
以下、本発明の実施する形態を図１〜３に基づいて具体的に説明する。
【００１１】
図１〜２において、２はファンデーションやアイシャドウ等の圧縮粉末１を入れる容器であり、その底部４の内面は連続した凹曲面で構成されている。
【００１２】
容器２は、圧縮粉末１を収納しても変色変形しない素材からなり、容器２に収容した圧縮粉末１を、化粧筆等を介し肌へなぞり使い進める時、上記化粧筆等が連続した凹曲面で構成された形状の底部４に、化粧筆等が無理なく容器２に沿う事で、満遍なく圧縮粉末１を使用出来る。
【００１３】
なお、底部４の連続した凹曲面で構成された形とは、急なくぼみのない緩やかなカーブを持つ形状が望ましく、容器２の中央から円形に複数回満遍なくなぞり描きする事で、圧縮粉末１を最後まで残す事無く使用できる事が出来る形状とする。
【００１４】
図３は上述した容器を使用した化粧用コンパクトケースを示すもので、３は化粧用コンパクトケース本体、２は圧縮粉末１を収容した容器である。
ここで、容器２と化粧用コンパクトケース本体３との固着方法は、容器２と化粧用コンパクトケース本体３とが、離れて落ちなければ固着方法は問わない。
【００１５】
また、ここで容器３は化粧用としているが、化粧用にこだわらず、筆やスポンジを用いて使用する例えば日本画用の顔彩や容器に充填した固形石鹸等の容器３とする事も可能である。
【図面の簡単な説明】
【００１６】
【図１】図１は、本発明による圧縮粉末容器形状の一例を示す斜視図である。
【図２】図２は、同、断面図である。
【図３】図３は、同、圧縮粉末容器を化粧用コンパクトケースに設けた一例を示す斜視図である。
【符号の説明】
【００１７】
１  圧縮粉末
２  容器
３  化粧用コンパクトケース
４  底部
【図１】
2011245002.tif 000003
【図２】
2011245002.tif 000004
【図３】
2011245002.tif 000005
(57)【要約】【課題】浴槽を充分に保温しつつ施工時やメンテナンス時において支障なく作業を行うことができる浴槽断熱構造を提供する。【解決手段】浴槽２の外面に沿って変形性及び復元性を有する断熱材３が設けられる。【選択図】図１
2011245023.tif 000002
【特許請求の範囲】
【請求項１】
浴槽の外面に沿って変形性及び復元性を有する断熱材が設けられたことを特徴とする浴槽断熱構造。
【発明の詳細な説明】
【技術分野】
【０００１】
本発明は浴槽断熱構造に関する。
【背景技術】
【０００２】
浴槽用の断熱材としては一般的に発泡スチロール製の断熱材が用いられる。例えば特許文献１には浴槽の外側面に発泡スチロール製の断熱材を貼着することが開示されている。
【先行技術文献】
【特許文献】
【０００３】
【特許文献１】特開２００６−６１３７２号公報
【発明の概要】
【発明が解決しようとする課題】
【０００４】
ところで、上記のように浴槽の外面に設けられた断熱材は、浴槽を施工する際や、設置状態において、浴槽と床パンの間や、浴槽と躯体壁との間等の比較的狭いスペースに配置される。このため、施工時やメンテナンス時には断熱材が邪魔になり、作業に支障をきたす恐れがある。また、この点は断熱材を薄くすることで改善できるが、このように断熱材を薄くすると浴槽を充分に保温することが困難になる。
【０００５】
本発明は前記事情に鑑みてなされたものであって、浴槽を充分に保温しつつ施工時やメンテナンス時において支障なく作業を行うことができる浴槽断熱構造を提供することを課題とする。
【課題を解決するための手段】
【０００６】
上記課題を解決するために本発明の浴槽断熱構造は、浴槽の外面に沿って変形性及び復元性を有する断熱材が設けられたことを特徴とする。
【発明の効果】
【０００７】
本発明にあっては、施工時やメンテナンス時においては断熱材を変形させることで、浴槽と床パンの間等の比較的狭いスペースにおいても断熱材が邪魔になり難い。従って、断熱材を厚くして浴槽の保温性を高めつつ、施工時やメンテナンス時において支障なく作業が行えるようになる。
【図面の簡単な説明】
【０００８】
【図１】本発明の実施形態の断熱浴槽の設置状態を示す断面図である。
【図２】同上の断熱浴槽の斜視図である。
【図３】同上の断熱浴槽の設置状態を示す斜視図である。
【図４】同上の断熱浴槽のメンテナンス時において断熱材が手で変形した状態を示す側面図である。
【発明を実施するための形態】
【０００９】
以下、本発明を添付図面に基づいて説明する。図１乃至図４に示す本実施形態の断熱構造を適用した断熱浴槽１は、洗い場の床を構成する床パン４や、図示しない天井パネル、壁パネル等と併せて浴室ユニットを構成するものである。
【００１０】
図１及び図２に示すように断熱浴槽１は浴槽２と浴槽２の外面に沿って設けられた面状の断熱材３とで構成されている。なお、図面では浴槽２の外周面のうち洗い場側の外側面に設けられた断熱材３のみが図示されているが、実際には断熱材３は浴槽２のその他の外側面にも設けられる。すなわち、浴槽２の外周面は略全体が断熱材によって覆われている。また、必要に応じて浴槽２の下面にも図示しない断熱材が設けられる。
【００１１】
図１及び図３に断熱浴槽１の設置状態を示す。図に示すように設置面５上には床パン４と支持フレーム６が高さ調節できるようアジャスターボルト７を介して並べて設置され、このうちの支持フレーム６上に断熱浴槽１が設置されている。また、床パン４の断熱浴槽１側の端縁上には点検口９が形成された取付枠８が立てた状態で設けられ、この取付枠８により断熱浴槽１側と床パン４側とが仕切られている。なお、図３では断熱材３の図示を省略している。
【００１２】
取付枠８の洗い場側には図示しないエプロンが着脱自在に取り付けられる。取付状態におけるエプロンは、床パン４の断熱浴槽１側の縁部から浴槽２の洗い場側のフランジ部分１０までを覆う。また、エプロンが取付枠８から取り外された状態では、点検口９が洗い場側に露出する。このため、床パン４上に居る人は点検口９を介して断熱浴槽１の外面に設けられた配管やジェットバス等の付属装置のメンテナンスを行えるようになる。
【００１３】
ここで、浴槽２に設けられた断熱材３は吸音材として用いられる綿材からなり、吸音性に加えて変形性及び復元性を有している。なお、変形性及び復元性を有する断熱材３とするのは、浴槽２の外周面全体に設けられる断熱材であってもよいし、浴槽２の外周面のうち、施工の際や施工状態において狭いスペースに配置されることが予想される箇所の一部に設けられる断熱材であってもよい。さらに浴槽２の下面にも断熱材３を設ける場合は、浴槽２の外面全体に設けられる断熱材３を変形性及び復元性を有するものとしてもよい。部分的に変形性及び復元性を有する断熱材を設ける場合の例としては、図１，図２等に示すように浴槽２の洗い場側に臨む外側面のみを変形性及び復元性を有する断熱材３で構成することが挙げられる。
【００１４】
このように本実施形態では、浴槽２の外面に沿って設けられる断熱材３が変形性及び復元性を有している。このため、作業者の体の一部が一時的に断熱材３に当たった場合には、断熱材３が弾性的に変形した後、元の状態に復元する。従って、例えば図４に示すように浴槽２下の配管１２をメンテナンスする際には、点検口９に通した手１３で浴槽２と床パン４の間に配置された断熱材３を圧縮変形させて断熱材３と床パン４の間に形成された隙間１１を広げることができる。この場合、前記隙間１１を通して浴槽２下側に手１３を伸ばしたり、浴槽２下側を視認することができ、メンテナンス作業を支障なく行うことができる。
【００１５】
また、隙間１１から手１３を抜いて断熱材３に力が加わらない状態になると、前記変形した断熱材３は自己の復元力により変形前の元の形状に復元する。この場合、圧縮変形された断熱材３は変形前の元の厚みまで復元するので、断熱材３が薄くなることで断熱性能が低下することを防止できる。また、浴槽２の施工時等において作業者の体の一部が断熱材３に当たって断熱材３が壊れたりすることも防止できる。
【００１６】
なお、本実施形態では断熱材３を綿材で構成したが、断熱材３は弾性変形可能な連続発泡材等の弾性部材で構成してもよい。また、変形性及び復元性を有する断熱材３は浴槽２の外面に直接設けてもよいし、発泡スチロール製等の変形性及び復元性を有さない断熱材を浴槽２の外面に取り付け、この上に変形性及び復元性を有する断熱材３を設けてもよい。
【符号の説明】
【００１７】
２  浴槽
３  断熱材
【図１】
2011245023.tif 000003
【図２】
2011245023.tif 000004
【図３】
2011245023.tif 000005
【図４】
2011245023.tif 000006
(57)【要約】【課題】  ガラス面、光沢のある金属面や塗装面、プラスチック面の拭掃は勿論、処理液によって処理された面が光沢を失わないで汚れを防ぎ、長期間その効果が持続する表面処理液の製造方法を提供する。【解決手段】  高速回転機能を有する撹拌機の回転槽内に、エタノ−ル６０％、精製水３９，７％、弗素０，７％  の割合で投入した後、２００００回転乃至２５０００回転の速度で１０数分回転させる表面処理液の製造方法。【特許請求の範囲】
【請求項１】
高速回転機能を有する撹拌機の回転槽内にエタノ−ル（ＣＨ３  ＣＨ２  ＯＨ）を６０％、精製水（Ｈ２０）３９，７％、弗素（Ｆ）０，３％の割合で投入した後、２００００回転乃至２５０００回転の速度で、およそ１０数分間回転させることを特徴とする表面処理液の製造方法。
【発明の詳細な説明】
【技術分野】
【０００１】  本発明はガラス面や光沢のある金属面や塗装面、プラスチック面に噴射または塗布した後、布材等で拭きとることによって光沢面を長期間保護すると共に、塵や埃が付着した場合、ハタキや乾燥した布材で軽く拭くだけで完全に拭き取ることが出来、生物に害を及ぼさない表面処理液の製造方法に関するものである。
【背景技術】
【０００２】  従来、ガラス面や光沢のある金属の汚れや塗装面、プラスチック面の塵挨の付着を防止すると共に、防止しきれず付着する汚れを容易に取り除くことができるような処理液は各種各様、枚挙に暇のないほど数多く提供されている。
【先行技術文献】
【０００３】
【特許文献】
【特許文献】
【発明の概要】
【発明が解決しようとする課題】
【０００４】  しかし、これまでに提供されている、汚れや塵埃の付着を防止する表面処理液は汚れたガラス面、光沢のある金属面や塗装面、プラスチック面に吹き付け又は塗布した後、布材で拭き取ることによって塵埃その他の付着物を取り除き、拭き取った後は元の光沢のある面に戻るようになっているが、光沢のある面を長期間持続させることはできない欠点があった。
従って降雨の多い地方や雨期の続く季節には頻繁に表面処理液によって汚れた面を拭掃しなければならなかった。
本発明は汚れたガラス面、光沢のある金属面や塗装面、プラスチック面の拭掃は勿論、処理液によって処理された面が光沢を失わないで汚れを防ぎ、長期間に渡り効果が持続し、使用素材はエタノ−ル、精製水、弗素樹脂のみの使用で、界面活性剤等は不使用で相手素材面上に弗素樹脂以外の素材が残留することがなく生物に無害の表面処理液の製造方法を提供することを目的とする。
【課題を解決するための手段】
【０００５】  上記目的を達成するため本発明は、高速回転機能を有する撹拌機の回転槽内にエタノ−ル（ＣＨ３  ＣＨ２  ＯＨ）６０％、精製水（Ｈ２Ｏ）３９，７％、弗素（Ｆ）０，３％の割合で投入し、２００００回転乃至２５０００回転の速度で１０数分間回転させる。
このような高速回転撹拌処理することによって表面処理液が完成する。
【発明の効果】
【０００６】  上記のような工程によって製造された表面処理液には次のような効果がある。
汚れたガラス面、光沢のある金属面や塗装面、プラスチック面に噴霧又は布材等で均一に塗布した後、乾いた布材で付着した表面処理液をガラス面、金属面  塗装面、プラスチック面から取り除くように払拭すると汚れた面の汚れが取り除かれると同時に、それぞれの面の微細凹部に表面処理液が付着することによって、光沢のある面となり、しかも光沢のある面が長期間持続すると共に汚れを防ぐ効果を発揮する。
又、本発明の表面処理液は人や動物が誤って飲んでも害を及ぼすことはない。
【発明を実施するための形態】
【０００７】  以下、本発明の実施の形態について説明する。
高速回転機能を有する撹拌機の回転槽内にエタノ−ル、精製水（蒸留水）、弗素をそれぞれ次のような割合で投入する。
エタノ−ル（ＣＨ，ＣＨ２  ＯＨ）              ６０％
精製水（Ｈ２Ｏ）                          ３９，７％
弗素（Ｆ）                                  ０，３％
上記のような割合で投入された撹拌機の回転槽を２００００回転乃至２５０００回転の高速で１０数分間、回転撹拌処理を行なう。
このように所定量のエタノ−ル、精製水、弗素を投入し、所定時間高速回転撹拌処理を行なうことによって高性能の表面処理液が精製される。
このように精製された表面処理液であっても、長い時間放置しておくと弗素は微粉であっても沈澱する恐れがあるので、精製後、速やかに小型容器（販売するための小瓶）に移し代えて置く必要がある。
本発明によって精製された表面処理液は先述のように、容器に封入したまま長い時間動かさずに置くと微粉であっても弗素は沈殿するので、使用する前に必ず容器をよく振ってから使用する必要がある。
又、使用にあたっては汚れの着いたガラス面や光沢のある金属面、塗装面に満遍なく塗布した後、乾燥した汚れのない布材で拭くことによって元の光沢のあるガラス面、金属面、プラスチック面に復帰すると共にその効果は長期間に亘って持続する。
(57)【要約】【課題】従来のウインカーランプ取り付け位置は運転手が運転中前方目視で確認できないという問題があったそのため人の安全と、他の車に危険及ぶ危険性がある。【解決手段】運転手が方向指示表示灯を確認する時に目線を変えず目視確認出来るボンネット上に取り付ける事で目線を変えることなく運転に集中出来る事で安全確保ができる。【選択図】図１
2011195134.tif 000002
【特許請求の範囲】
方向指示表示灯（１１．１２）がボンネット（２）の上のフロントガラス（３）に近い場所の左右に設けられていることを特徴とする自動車。
【発明の詳細な説明】
【技術分野】
【０００１】今回採用した方向指示表示灯は、運転手が目線を変えることなく方向指示表示灯を見ることが出来る自動車に関する。
【背景技術】
【０００２】従来、車を右折または左折するときに点灯するウインカーランプは、ボデーに取り付けられているので運転手が目線確認することが出来なく、運転手の前のメーター内に設置されている方向指示表示灯で目線確認及び音で確認しているが、メーター内の方向指示表示灯で右折左折の確認を行うため、自動車運転中に目線を変えて方向指示表示灯で確認を行っているこの方法では運転手が運転中に目線を変えないと確認できないので安全運転上問題があった。またウインカーランプの出し忘れや消し忘れも生じている。
【発明の開示】
【発明が解決しようとする課題】
【０００３】本発明は、このような従来の構成が有していた問題を解決しようとするものであり、目線を変えないで方向指示表示灯を確認できる自動車を提供することを目的とするものである。
【問題を解決するための手段】
【０００４】本発明の自動車は方向指示表示灯（１１．１２）がボンネット（２）の上のフロントガラス（３）に近い場所の左右に設けられていることを微微とする。
【０００５】本発明でいうボンネット（２）の上のフロントガラス（３）に近い場所とは、フロントガラスの下端からボンネットの先端に向けて１０ｃｍか１５ｃｍ位の場所が好ましい。
車の大きさにより左右の方向指示表示灯の設ける位置が異なる、車内から見てフロントガラスの左側と右側の設ける間隔として車の進行方向の中心線から左右それぞれ３０ｃｍか４０ｃｍの場所がよい。
【発明の効果】
【０００６】本発明の自動車では方向指示表示灯がフロントガラスの下方に取り付け、すぐ見えるので運転手が目線を変えることなく確認でき事故を防止することができる。
【０００７】従来の自動車のウインカーランプは運転手より右折左折の目視確認ができないので目視確認が出来る位置に方向指示表示灯を取り付ける事でまた、右折左折の確認でき出し忘れ消し忘れを防止することで接触事故も回避することが出来る。
【発明を実施するための最良の形態】
【実施例】
【０００８】以下、本発明は実施形態の一例を図１に基づいて説明する。【０００９】本実施例では図に示すように方向指示表示灯（１１．１２）がボンネット（２）の上のフロントガラス（３）に近い場所でフロントガラス（３）の下端からボンネットの先端方向に１５ｃｍ離れたところで、ボンネット上の左右の位置は車の進行方向の中心線から左右それぞれ４０ｃｍの位置に方向指示表示灯を設けた、こうしたことにより運転手は目線を変えることなく確認ができ安全運転をすることが出来た。
【図面の簡単な説明】
【０００１０】
【図１】  本発明の実施の一例を示す説明図。
【符号の説明】
【０００１１】  １１．１２  方向指示表示灯
２          ボンネット
３          フロントガラス
４          ウインカーランプ
【図１】
2011195134.tif 000003
(57)【要約】【課題】  各調味料のキャップの内部に中蓋を開封する丸い輪がありその輪に指先を入れて上げて開封するようになっているが輪の中に指先が入れずらく箸などを輪の中に指を入れずにキャップの中蓋が開封できるキャップを提供する。【解決手段】キャップ（１）の上蓋の裏面に中蓋（６）を開封する軸受け（４）と中蓋（６）を開封する軸（５）を一体化して中蓋（６）が開封しやすく中蓋（６）の回りに溝を設けて上蓋（１）のヒサシの下から親指で上蓋（１）を上に押し上げて行くと中蓋（６）が開封でき高齢者でも簡単にできるキャップの構成体で解決できる。【選択図】      図４
2011195165.tif 000002
【特許請求の範囲】
【請求項１】
キャップの上蓋（１）を開けると同時に中蓋（６）が開封できるように上蓋（１）の裏に軸受け（４）を設けて中蓋（６）を引き上げて開ける軸（５）を軸受け（４）と一体化し固定させて上蓋（１）の開閉用ヒサシ（２）の下から上蓋（１）を上に押し上げて行くと中蓋（６）が取りやすくするための中蓋（６）のふちに溝（８）を設けて中蓋（６）がすみやかに開封できる上蓋キャップの構成体。
【発明の詳細な説明】
【技術分野】
【０００１】
この発明はキャップ上蓋の裏に軸受と中蓋を開封する軸に関する構造体である。
【背景技術】
【０００２】
各調味料のキャップ（図５）は上蓋１１を開けると中蓋１６を開ける円形の丸い輪１９に指先を入れ引き上げて開封できる構造体であった。
【発明の概要】
【発明が解決しようとする課題】
【０００３】
従来のキャップは次の問題点があった。キャップ（図５）は上蓋を開けると内部に中蓋を開ける丸い輪がありその丸い輪に指先を入れて引き上げて開けるようになっているが、指先が入れずらく困ることが多かったが、本発明は以上のような問題点をなくすためのものである。
【課題を解決するための手段】
【０００４】
キャップ（１）の中蓋（６）を取り外す軸受（４）を上蓋（１）の裏に固定して中蓋（６）を開封する軸（５）を中蓋（６）の取り口のハシに固定する。中蓋（６）が取れやすく中蓋の回りに溝（７）を設ける。
本発明は以上の構成で解決できる。
【発明の効果】
【０００５】
キャップ（１）の上蓋の裏に軸受（４）と中蓋（６）を開封する軸（５）を一体化し固定すると同時に中蓋（６）の回りに溝（７）を設けているので上蓋（１）をヒサシ（２）の下から押し上げて行くと中蓋が開封できる。
【図面の簡単な説明】
【０００６】
【図１】本発明の正面断面図である。
【図２】本発明の平面断面図である。
【図３】本発明の中開断面図である。
【図４】本発明の開封断面図である。
【図５】従来のキャップの斜視図である。
【発明を実施するための形態】
【０００７】
以下、本発明を実施するための形態について説明する。
キャップ（１）の上蓋の裏に軸受（４）と中蓋（６）のはしに軸（５）を設け固定し中蓋（６）が開封できやすくするために中蓋（６）のふちの回りに溝（７）を設けて中蓋が開封できる構造である。
キャップを開封する時は上蓋（１）の先端にあるヒサシ（２）の部分の下から親指で押し上げると上蓋（１）の軸受（４）と中蓋（６）の軸が一体化し固定しているので中蓋（６）が開封(図３)できる構成体である。
【符号の説明】
【０００８】
１．  キャップ  （プラスチック）
２．  上蓋の押し上げヒサシ部
３．  ビンの本体（ガラス）
４．  上蓋の裏に固定する軸受
５．  中蓋を引き上げる軸
６．  中蓋
７．  蓋の回りの溝
８．  開閉するチョウツガイ
９．  中蓋を引き上げ用円形の輪
【図１】
2011195165.tif 000003
【図２】
2011195165.tif 000004
【図３】
2011195165.tif 000005
【図４】
2011195165.tif 000006
【図５】
2011195165.tif 000007
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
キャップの上蓋（１）を開けると同時に中蓋（６）が開封できるように上蓋（１）の裏に軸受け（４）を設けて中蓋（６）を引き上げて開ける軸（５）を軸受け（４）と一体化し固定させて上蓋（１）の開閉用ヒサシ（２）の下から上蓋（１）を上に押し上げて行くと中蓋（６）が取りやすくするための中蓋（６）のふちに溝（７）を設けて中蓋（６）がすみやかに開封できる上蓋キャップの構成体。
【手続補正２】
【補正対象書類名】明細書
【補正対象項目名】０００１
【補正方法】変更
【補正の内容】
【０００１】
この発明はキャップ上蓋の裏に軸受と中蓋を開封する軸に関する構成体である。
【手続補正３】
【補正対象書類名】明細書
【補正対象項目名】０００２
【補正方法】変更
【補正の内容】
【０００２】
各調味料のキャップ（図５）は上蓋を開けると中蓋を開ける円形の丸い輪９に指先を入れ引き上げて開封できる構成体であった。
【手続補正４】
【補正対象書類名】明細書
【補正対象項目名】０００８
【補正方法】変更
【補正の内容】
【０００８】
１．      キャップ  （プラスチック）
２．      上蓋の押し上げヒサシ部
３．      ビンの本体（ガラス）
４．      上蓋の裏に固定する軸受
５．      中蓋を引き上げる軸
６．      中蓋
７．      蓋の回りの溝
８．      開閉するチョウツガイ
９．      従来の中蓋を引き上げ用円形の輪
(57)【要約】【課題】  モルタル、コンクリートの乾燥収縮を低減することは、重要な技術課題であるが、これまで高価な収縮低減剤しかなく、経済的理由により普及が妨げられていた。そのため、安価な収縮低減剤が求められていた。【解決手段】  セメントに対し、０．５〜４％の常温で液体の植物性油脂を配合することにより、モルタル、コンクリートの乾燥収縮を低減する。低収縮性セメント組成物を安価に製造することが可能となり、低収縮性セメント組成物の普及に大きく貢献することが期待される。【特許請求の範囲】
【請求項１】
セメントに対し、常温で液体の植物性油脂を０．５〜４質量％の割合で含有することを特徴とする低収縮セメント組成物。
【請求項２】
植物性油脂が菜種油、大豆油、綿実油およびごま油より成る群から選ばれた少なくとも一種である、請求項１に記載の低収縮セメント組成物。
【請求項３】
常温で液体の植物性油脂を含有することを特徴とするセメント用収縮低減剤。
【請求項４】
植物性油脂が菜種油、大豆油、綿実油およびごま油より成る群から選ばれた少なくとも一種である、請求項３に記載の低収縮セメント組成物。
【発明の詳細な説明】
【技術分野】
【０００１】  本発明は、新規な低収縮性セメント組成物に関する。
【背景技術】
【０００２】  セメントを用いたモルタル、コンクリートは一般的に乾燥収縮が大きく、そのためひび割れが発生するなどの問題がある。そのため、乾燥収縮低減剤が開発され一部使用されている。【０００３】  例えば、従来から提案されているセメント用収縮低減剤は、アルキレンオキシド付加体で代表されるような水溶性の有機物であり（特許文献１参照）、これを練り水に溶解することにより表面張力を下げ、その結果乾燥収縮を低減するというものである。【０００４】  しかしながら、上記した従来の乾燥収縮低減剤は、高価な有機合成物であり、セメント組成物に添加する場合、コスト的な面において使用が制限されているのが現状である。
【先行技術文献】
【特許文献】
【０００５】
【特許文献１】特公昭５６−５１１４８号公報
【発明の概要】
【発明が解決しようとする課題】
【０００６】  従って、本発明の目的は、高価であるが故に普及が十分でなかった、従来の乾燥収縮低減剤を使用した低収縮性セメント組成物に代って、安価で、且つ、乾燥収縮低減効果の優れた低収縮性セメント組成物及び乾燥収縮低減剤を提供することにある。
【課題を解決するための手段】
【０００７】  上記目的に対して、本発明者は、特定の油脂をセメント組成物に特定の割合で配合することによって、硬化時の乾燥収縮を著しく防止し、且つ、硬化体においても本来の強度の発現が可能であることを見出し、本発明を完成するに至った。【０００８】  即ち、本発明は、セメントに対し、常温で液体の植物性油脂を０．５〜４質量％の割合で含有することを特徴とする低収縮性セメント組成物である。【０００９】  また、本発明は、常温で液体の植物性油脂を含有することを特徴とするセメント用収縮低減剤をも提供するものである。
【発明の効果】
【００１０】  本発明においては、安価に入手が可能な植物性油脂をセメント用収縮低減剤として使用し、低収縮性セメント組成物を得ることが可能であり、しかも、得られる低収縮性セメント組成物は、従来の高価なセメント用収縮低減剤を使用した場合と同等の性能を発揮することができる。【００１１】  従って、低収縮性セメント組成物を安価に製造することが可能となり、低収縮性セメント組成物の普及に大きく貢献することが期待される。【００１２】  尚、常温で液体であり、水に不溶性である点で植物性油脂と性能が一致する流動パラフィンのような鉱油は、乾燥収縮の低減効果が小さく本発明の目的を達成することができない。これに対して、植物性油脂である本発明のセメント用収縮低減剤が、何故、前記効果を発揮するかは明確ではなく、今後の解明が待たれるところである。
【発明を実施するための形態】
【００１３】  以下、本発明を詳しく説明する。
【００１４】  本発明の低収縮性セメント組成物において、使用される植物性油脂は、常温（２５℃）で液体であるものであれば、特に限定されないが、価格、入手のし易さ、使い易さ等から、菜種油、綿実油、大豆油、ごま油、紅花油、オリーブオイルなどが挙げられる。これらの植物性油脂は、単独又は２種以上を混合して使用することができる。
【００１５】  また、上記植物性油脂をてんぷら等の他の用途に使用した後の廃油も有効に利用することができ、材料コストを大幅に下げることも可能である。
【００１６】  また、本発明の低収縮性セメント組成物において、前記植物性油脂の割合は、セメントの使用量に対して、０．５〜４質量％、好ましくは、１〜３質量％の植物性油脂を乾燥収縮低減剤として配合するのが好ましい。前記植物性油脂の割合が上記０．５質量％より少ないと収縮低減効果が小さすぎ、逆に、４質量％より多過ぎると、セメント組成物の硬化後の強度の低下をもたらすという問題がある。
【００１７】  本発明の低収縮性セメント組成物は、前記植物性油脂を含有するものであれば、他の構成は従来から公知のセメント組成物において知られている構成が特に制限無く採用される。
【００１８】  例えば、本発明の低収縮性セメント組成物に使用されるセメントは、ポルトランドセメントが一般的であるが、その他、早強セメント、高炉セメント、中庸熱セメント等を使用することができる。
【００１９】  また、本発明の低収縮性セメント組成物の調製方法は、特に制限されるものではない。例えば、前記組成を乾式で混合して組成物を構成してもよいし、前記植物性油脂の成分を除いた組成を水と混合し、その後、植物性油脂を添加して組成物を構成してもよい。
【００２０】  本発明の収縮低減剤は、公知のセメント用混和剤、混和材と併用してセメント組成物を構成することも出来る。混和材の例としては、硬化促進剤、硬化遅延剤、防錆剤などが挙げられるが、収縮量をさらに小さくするために膨張材との併用は、特に推奨される。また、収縮量の大きいセルフレベリング材への応用も期待できる。
【実施例】
【００２１】  以下、本発明を実施例に基づき説明する。ただし本発明は本実例に限定されるものではない。【００２２】  実施例
表１の配合によりモルタル試験を行った。収縮試験はＪＩＳＡ１１２９のコンタクトゲージ法で、圧縮強度は、ＪＩＳ  Ｒ５２０１に従って測定した。２０℃で２４時間後に脱型、基長測定後、２０℃、６０％ＲＨで２８日放置し、収縮量、強度を測定した。結果は表１に示すが、十分な収縮低減効果が確認できた。【００２３】
【表１】
2011195430.tif 000002
【００２４】  比較例
表１の３の配合で、油種類をサラダ油に変えて、市販のアルキレンオキシド付加体系収縮低減剤、流動パラフィンを使って同様の試験を行った。市販の収縮低減剤は、収縮率２００×１０−４、圧縮強度４３Ｎ／ｍｍ２となり十分な収縮低減効果があったが、流動パラフィンは、収縮率３５０×１０−４、圧縮強度３８Ｎ／ｍｍ２となり、収縮低減効果がないことがわかった。
(57)【要約】【課題】  廃セッコウボードを地盤改良や建設残土の固化処理等の土地改良に用いる環境対応型固化材を提供する。【解決手段】  この発明に係る環境対応型固化材は、二水セッコウに生石灰或は消石灰を加えて構成した。そして、二水セッコウ粉末１００重量％に対し、生石灰或は消石灰を５０〜３００重量％加えて構成した。また、二水セッコウとして廃石膏ボードを粉砕したものを用いた。セッコウに石灰を加えることによりｐＨ１０以上とすることができ、硫酸還元菌の活動を抑えることができる。【選択図】なし【特許請求の範囲】
【請求項１】
二水セッコウに生石灰或は消石灰を加えてなる環境対応型固化材。
【請求項２】
二水セッコウ粉末１００重量％に対し、生石灰或は消石灰を５０〜３００重量％加えてなる請求項１に記載の環境対応型固化材。
【請求項３】
二水セッコウとして廃石膏ボードを粉砕したものを用いることを特徴とする請求項１又は請求項２のいずれかに記載の環境対応型固化材。
【発明の詳細な説明】
【技術分野】
【０００１】
この発明は、セッコウ、特に廃セッコウボードを地盤改良や建設残土の固化処理等の土地改良に用いる環境対応型固化材に関する。
【背景技術】
【０００２】
周知のように、セッコウボードの生産量は年間５００万トンに迫っており、今後、さらに増加すると予想されている。これに伴い、セッコウボード廃材も今後増大すると予想されている。
【０００３】
しかし、セッコウボードの廃棄物は、ｐＨが中性であるため、硫酸還元菌が繁殖し、有害な硫化水素を発生する、という問題を有していた。このため、セッコウボード廃棄物は、管理型廃棄処分場への処分が義務付けられ、処理費用が嵩む、という問題も有していた。
【０００４】
このため、セッコウが中性であることに着目し、セメントや石灰処理によりアルカリ性にすることができない土質、地盤において二水セッコウを焼成して得られる半水セッコウが地盤改良、建設残土固化処理等の土質改良に用いられているのが現状である（特許文献１参照）。
【０００５】
因みに、硫化水素は、次の７つの条件が全て満たされたときに発生の可能性がある。
（１）液体状態の水の存在。
（２）利用可能な有機物の存在。
（３）利用可能な硫酸イオン（セッコウ等の硫酸化合物を含む）の存在。
（４）空気の欠如（嫌気的状態）。
（５）硫酸還元菌の存在。
（６）ｐＨ  ４〜９。
（７）最適な温度範囲（３０〜３８℃）。
【０００６】
この内、（７）以外はセッコウ系改良土中では通常備えられており、何がしかの条件で温度が上昇すれば硫化水素発生による被害が懸念される。
【０００７】
また、ｐＨについては、第１９回廃棄物学会研究発表講演論文集７０５−７０７（２００８）において、正本氏らは浸出水のｐＨを９以上に保つことにより硫化水素の発生が抑制される、と述べている。
【先行技術文献】
【特許文献】
【０００８】
【特許文献１】特開平１０−００１６６７号公報
【発明の概要】
【発明が解決しようとする課題】
【０００９】
そこで、本発明者らは、廃セッコウボードの発生量が増加し、管理型廃棄物処理場が不足することを想定し、また、廃セッコウボードを焼成して地盤改良などに用いる場合の硫化水素の発生を防止することができる環境対応型固化材を創出した。具体的には、セッコウに石灰を加える。セッコウとしては、二水塩、半水塩或は無水塩のいずれかを用いることができるが、本発明では、焼成の必要がなく経済的な二水塩が好適である。石灰としては、消石灰或は生石灰のいずれも用いることができる。
【００１０】
そして、セッコウに石灰を加えることによりｐＨ１０以上とすることができ、硫酸還元菌の活動を抑えることができる。
【課題を解決するための手段】
【００１１】
上記目的を達成するため、請求項１に係る環境対応型固化材は、二水セッコウに生石灰或は消石灰を加えたことを特徴とするものである。
【００１２】
また、請求項２に記載の発明は、請求項１に記載の環境対応型固化材を技術的前提とし、二水セッコウ粉末１００重量％に対し、生石灰或は消石灰を５０〜３００重量％加えたことを特徴とするものである。
【００１３】
さらに、請求項３に記載の発明は、請求項１又は請求項２のいずれかに記載の環境対応型固化材を技術的前提とし、二水セッコウとして廃石膏ボードを粉砕したものを用いることを特徴とするものである。
【発明の効果】
【００１４】
この発明に係る環境対応型固化材によれば、廃セッコウボード粉砕品を地盤等の土質改良に用いる場合、ｐＨを高くすることにより硫化水素の発生リスクを無くすることができる。
【発明を実施するための形態】
【００１５】
以下、この発明の実施例を、以下に説明をする。
【００１６】
〔実施例〕
セッコウは、大阪府内で製造されている廃セッコウボード粉砕品を、消石灰は菱光石灰社製特号を用い、半水セッコウは、上記廃セッコウボード粉砕品を１５５℃で４．５時間エアバス中で加熱し他者を用いた。表１において、上段が比較用半水セッコウ、下段が本発明品である。
【００１７】
【表１】
2011195410.tif 000002
【００１８】
表１からも明らかなように、半水セッコウは強度が低いものの中性であり、中性固化材としての機能は発揮しているのが判る。
【００１９】
これに対し、本発明品の固化処理土のｐＨは、１０以上であり、硫化水素の発生の心配がない。固化強度もセッコウの１０倍程度を確保できることがわかる。